(57)【要約】【課題】トラップカバーを取り付ける際の作業性を向上させたトラップカバー取付構造を提供する。【解決手段】本発明は、壁面に固定される洗面器１のトラップカバー８の取付構造であって、壁面６に固定されトラップカバーを支持する支持部材１０と、トラップカバーに取り付けられ且つ支持部材と係合する固定具１２と、を有している。固定具１２は、トラップカバーに形成された孔１４に回転可能に挿入された固定用ボルト１８と、この固定用ボルトの回転中心に回転不能に固定されたベースプレート２８と、このベースプレートの中心から偏心した偏心位置にその一端が回転可能に固定され且つその他端に形成された鉤部３６ａにより支持部材に係合する係合アーム３６と、を備え、固定用ボルトが回転すると、ベースプレートがその偏心位置を中心として回転して上昇し、このベースプレートの上昇によりトラップカバーが取付位置まで上昇する。【選択図】図２
2010084444.tif 000002
【特許請求の範囲】
【請求項１】
壁面に固定される洗面器のトラップカバーの取付構造であって、
上記壁面に固定されトラップカバーを支持する支持部材と、
上記トラップカバーに取り付けられ且つ上記支持部材と係合する固定具と、を有し、
上記固定具は、上記トラップカバーに形成された孔に回転可能に挿入された固定用ボルトと、この固定用ボルトの回転中心に回転不能に固定されたベースプレートと、このベースプレートの中心から偏心した偏心位置にその一端が回転可能に固定され且つその他端に形成された鉤部により上記支持部材に係合する係合アームと、を備え、上記固定用ボルトが回転すると、上記ベースプレートがその偏心位置を中心として回転して上昇し、このベースプレートの上昇により上記トラップカバーが取付位置まで上昇するように構成されていることを特徴とするトラップカバーの取付構造。
【請求項２】
上記固定具の係合アームの他端の鉤部は、トラップカバーの荷重を支持した状態で上記支持部材に係合される請求項１に記載のトラップカバーの取付構造。
【請求項３】
上記固定具の係合アームは、第１アームとこの第１アームに伸縮自在に取り付けられた第２アームとより構成されている請求項１又は請求項２に記載のトラップカバーの取付構造。
【請求項４】
上記固定部の係合アームは、上記一端側に凹部が有し、上記固定用ボルトの回転中心が上記トラップカバーの取付位置において上記凹部に収納されるように構成されている請求項１乃至３の何れか１項に記載のトラップカバーの取付構造。
【発明の詳細な説明】
【技術分野】
【０００１】
本発明は、トラップカバーの取付構造に係わり、特に、壁面に固定される洗面器のトラップカバーの取付構造に関する。
【背景技術】
【０００２】
洗面器の下方にはトラップ管が設けられているが、このトラップ管は、トラップカバーにより覆い隠されている。これらの洗面器とトラップカバーを別々に壁面に固定したのでは、トラップカバーの取付作業が難しくなるので、この取付作業を簡略化するための種々のトラップカバーの取付構造が提案されている。
【０００３】
例えば、特許文献１には、洗面器とトラップカバーを壁面に取り付けるために、洗面器に下方に突出した脚部を設け、この脚部に取付金具を当接させた状態で、ビスで取付金具と脚部と一体状に壁面に固設し、次に、この状態で取付金具にネジによりトラップカバーを取り付け、トップカバーの取付けのために壁面に穴を開けることなく、洗面器とトラップカバーとを一体化させたものが提案されている。
【０００４】
更に、特許文献２には、便器等の衛生器具を床又は壁に取り付けるために、衛生器具に予めネジにより回転する螺旋形状の締め付け面を持つスプリングワッシャを取り付け、このスプリングワッシャをネジにより回転させて、床又は壁に設けられた相方部品に係合させるようにしたものが提案されている。
【０００５】
【特許文献１】実開平２-２９９５６号公報
【特許文献２】ＥＰ０６７０３９４Ａ１
【発明の開示】
【発明が解決しようとする課題】
【０００６】
上述した特許文献１のトラップカバーの取付構造は、トラップカバーの取付けのために壁面に穴を開けなくても良い点で優れているが、作業者がトップカバーを抱えながら、ネジにより取付金具にトップカバーを取り付ける作業は、煩雑であり、作業性に問題がある。
【０００７】
上述した特許文献２の取付構造は、螺旋形状の締め付け面を持つスプリングワッシャを相方部品と係合させるので、係合力が連続的に増加し、また、公差があっても補償される等の利点がある。しかしながら、特許文献２の取付構造をトラップカバー取付構造に適用した場合、ネジの位置とスプリングワッシャの締め付け面の位置とが近いため、スプリングワッシャと相方部品の係合状態（トラップカバーの取付状態）を確認し難いという問題がある。さらに、取付作業時、スプリングワッシャの締め付け面が相方部品に係合するまでは、トラップカバーが落下しないように、作業者が手で支持しなければならず、また、トラップカバーの取外作業時も同様に、スプリングワッシャの締め付け面が相方部品に係合しなくなった後は、作業者が手で支持しなければならず、特許文献１と同様に、トップカバーを取り付ける作業は、煩雑であり、作業性に問題がある。
【０００８】
本発明は、上述した従来技術の問題点を解決するためのなされたものであり、トラップカバーを取り付ける際の作業性を向上させたトラップカバー取付構造を提供することを目的としている。
【課題を解決するための手段】
【０００９】
上記の目的を達成するために、本発明は、壁面に固定される洗面器のトラップカバーの取付構造であって、壁面に固定されトラップカバーを支持する支持部材と、トラップカバーに取り付けられ且つ支持部材と係合する固定具と、を有し、固定具は、トラップカバーに形成された孔に回転可能に挿入された固定用ボルトと、この固定用ボルトの回転中心に回転不能に固定されたベースプレートと、このベースプレートの中心から偏心した偏心位置にその一端が回転可能に固定され且つその他端に形成された鉤部により支持部材に係合する係合アームと、を備え、固定用ボルトが回転すると、ベースプレートがその偏心位置を中心として回転して上昇し、このベースプレートの上昇によりトラップカバーが取付位置まで上昇するように構成されていることを特徴としている。
このように構成された本発明においては、トラップカバーに取り付けられ且つ支持部材と係合する固定具により、トラップカバーを取り付けるようにしている。この固定具は、固定用ボルトと、この固定用ボルトの回転中心に回転不能に固定されたベースプレートと、このベースプレートの偏心位置にその一端が回転可能に固定され且つその他端に形成された鉤部により支持部材に係合する係合アームと、を備えているので、固定用ボルトと係合アームの支持部材との係合位置までの距離が、係合アームの長さだけ長くなるので、支持部材に係合アームを係合させたとき、係合アームと支持部材の係合位置が認識し易くなり、その結果、トラップカバーの取付作業の作業性が向上する。
【００１０】
本発明において、好ましくは、固定具の係合アームの他端の鉤部は、トラップカバーの荷重を支持した状態で支持部材に係合される。
このように構成された本発明においては、固定具の係合アームの他端の鉤部が、トラップカバーの荷重を支持した状態で支持部材に係合されるので、作業者は、トラップカバー取付作業中に、トラップカバーを保持する必要がない。また、トラップカバーを取り外す際にも、作業者は、取外作業中に、トラップカバーを保持する必要がなく、作業性が向上する。
【００１１】
本発明において、好ましくは、固定具の係合アームは、第１アームとこの第１アームに伸縮自在に取り付けられた第２アームとより構成されている。
このように構成された本発明においては、固定具の係合アームの長さを自由に調整することができるので、例えば、作業現場でも、必要に応じて、係合アームを調整して、作業性を向上させることができる。
【００１２】
本発明において、好ましくは、固定部の係合アームは、一端側に凹部が有し、固定用ボルトの回転中心がトラップカバーの取付位置において凹部に収納されるように構成されている。
このように構成された本発明においては、トラップカバーの取付位置において、固定用ボルトの回転中心が係合アームの凹部に収容されているので、固定用ボルトに作用するトラップカバーの荷重が下向きに作用し、これにより、トラップカバーが安定して保持される。
【発明の効果】
【００１３】
本発明のトラップカバーの取付構造によれば、トラップカバーを取り付ける際の作業性が向上する。
【発明を実施するための最良の形態】
【００１４】
以下、添付図面により、本発明のトラップカバーの取付構造の実施形態を説明する。先ず、図１及び図２により、本実施形態によるトラップカバーの取付構造の概要を説明する。図１は本発明の実施形態によるトラップカバーの取付構造を示す正面断面図であり、図２は図１のII−II線に沿って見た断面図である。
【００１５】
図１及び図２に示すように、先ず、陶器製の洗面器１が、洗面器固定用ボルト２、座金３及びナット４により、壁面６に取り付けられている。また、洗面器１の下方には、図示しないトラップ管を覆い隠すためのトラップカバー８が配置されている。
このトラップカバー８は、洗面器固定用ボルト２にナット４により固定されたほぼコ字形状のトラップカバー支持部材１０により、後述する固定具１２を介して、洗面器１により支持されるようになっている。
【００１６】
次に、図３乃至図５により、本実施形態の固定具について詳細に説明する。図３は本発明の実施形態によるトラップカバー取付構造に使用される固定具をトラップカバーに取り付けた状態を示す断面図であり、図４は固定具の部品展開図であり、図５は固定具をトラップカバーに取り付けた状態を示す斜視図である。
【００１７】
図３乃至図５に示すように、トラップカバーの奥側の側面の２箇所（図１及び図２参照）に、固定具取付孔１４が形成され、この固定具取付孔１４に、固定具１２が取り付けられている。
この固定具１２は、トラップカバー８の内側から固定具取付孔１４内に挿入される樹脂製の軸受部材１６と、この軸受部材１６に対して回転可能に挿入される固定用ボルト１８と、この固定用ボルト１８の頭部１８ａをトラップカバー８の外側から支持する樹脂製の軸受ディスク２０と、固定用ボルト１８及び軸受ディスク２０を覆う着脱自在のキャップ２２と、固定ボルト１８の回転中心に回転不能に座金２４及びナット２６により固定されたベースプレート２８と、このベースプレート２８の中心から偏心した偏心位置にその一端が回転可能にボルト３０、座金３２及びナット３４により固定され且つその他端が鉤部３６ａを形成して上述したトラップカバー支持部材１０に係合するＳ字形状の係合アーム３６と、を備えている。なお、係合アーム３６は、その一端側（下方側）に、凹部３６ｂが形成されている。また、ベースプレート２８の表面上には、係合アーム３６を取付作業開始時に立ち上げ姿勢とするための係合アーム姿勢保持用突起２９が形成されている（図６（ａ）参照）。
【００１８】
次に、図６により、上述した本実施形態によるトラップカバーの取付構造における、トラップカバーの取付作業（取付方法）を説明する。図６は本発明の実施形態によるトラップカバー取付構造の取付作業（取付方法）を示す側面図である。
トラップカバー８の取付作業開始時には、先ず、図６（ａ）に示すように、トラップカバー８に取り付けられた固定具１２の固定用ボルト１８を工具により回転させて係合アーム３６の下端を係合アーム姿勢保持用突起２９に当接させて立ち上げ姿勢とする。次に、この状態のトラップカバー８を、作業者が、壁面６に固定されたトラップカバー支持部材１０の近傍まで持ち上げる。このとき、係合アーム３６がベースプレート２８から立ち上げ姿勢になっているので、洗面器１とトラップカバー８の上縁との間に必要な隙間空間が形成されるので、係合アーム３６と支持部材１０の係合位置が認識し易くなり、取付作業が容易となる。
【００１９】
次に、図６（ｂ）に示すように、作業者が、固定具１２の係合アーム３６の他端の鉤部３６ａに上述したトラップカバー支持部材１０に引っ掛ける。このとき、係合アーム３６の鉤部が、トラップカバー８の荷重を支持した状態でトラップカバー支持部材１０に係合されているので、作業者は、これ以降、トラップカバーを手で保持する必要がない。
ここで、固定用ボルト１８及びベースプレート２８の回転中心をＸ１、ベースプレート２８の偏心位置であり係合アーム３６の一端が取り付けられたボルト３０の回転中心をＸ２とすると、トラップカバー８の荷重Ｗが回転中心Ｘ１の位置で支えられているので、回転中心Ｘ１は、回転中心Ｘ２の真下に位置するように固定用ボルト１８及びベースプレート２８が回転する。
【００２０】
次に、作業者は、工具を固定用ボルト１８の頭部に取り付け、固定用ボルト１８を、図６において時計方向に、回転させる。固定用ボルト１８が回転すると、固定用ボルト１８と一体であるベースプレート２８も併せて回転する。このとき、回転中心Ｘ１の位置は固定で変位せず、回転中心Ｘ２は変位可能な状態となっているので、図６（ｃ）及び図６（ｄ）に示すように、ベースプレート２８は、それ自身が回転中心Ｘ１で回転しながら、回転中心Ｘ２を中心として回転する。ベースプレート２８が、回転中心Ｘ２を中心として回転すると、それにより、ベースプレート２８が上昇し、図６（ｄ）に示す位置を経て、最終的には、図６（ｅ）に示す最終の取付位置まで到達する。これにより、トラップカバー８の取付作業は完了する。
【００２１】
ここで、トラップカバー８は、図６（ｅ）に示す最終の取付位置では、係合アーム３６のＳ字形状の下方の凹部３６ｂ内に固定用ボルト１８が収納させるので、回転中心Ｘ１に作用するトラップカバー８の荷重Ｗが係合アーム３６の凹部３６ｂを下方へ押し付けるように作用するので、回転中心Ｘ２に対して、時計回りのモーメントが発生するので、取付作業終了時以降に、トラップカバー８に外力が作用しても、固定用ボルト１８が回転して係合アーム３６の凹部３６ｂから外れるようなことなく、安定して、トラップカバー８を保持することができる。
【００２２】
なお、トラップカバーの取付作業時においても、図６（ｄ）に示す位置となった後は、回転中心Ｘ１に作用するトラップカバー８の荷重Ｗが、回転中心Ｘ２の位置よりも、右側に移動するので、回転中心Ｘ２に対して、時計回りのモーメントが発生するので、固定用ボルト１８を回転させる工具に作用する反力が小さくなり、作業が容易となる。
【００２３】
また、トラップカバー８を取り外す際には、上述した工程の逆の工程を実行すれば良い。
【００２４】
次に、図７により、本発明の実施形態の変形例を説明する。図７は本発明の実施形態の変形例による固定具の係合アームを示す図である。この変形例においては、固定具１２の係合アーム３８が、主要部分である第１アーム３９と、先端部である第２アーム４０とにより構成されている。また、第１アーム３９の先端側には、長手方向に延びるスリット３９ａが形成され、このスリット３９ａに対応して、第２アーム４０の根元側には、２つの孔４０ａと４０ｂが形成されている。この第２アーム４０の孔４０ａ，４０ｂ、及び、第１アーム３９のスリット３０ａにボルト４２を貫通させて、ナットで固定するようにしている。
【００２５】
このように、本実施形態の変形例においては、係合アーム３８の先端部が別部品である第２アーム４０により形成され、伸縮自在となっているので、係合アーム３８を必要に応じて長くすることができ、トラップカバーの取付作業時に、洗面器１とトラップカバー８との間の空間を大きく取ることができ、作業性が向上する。
【図面の簡単な説明】
【００２６】
【図１】本発明の実施形態によるトラップカバーの取付構造を示す正面断面図である。
【図２】図１のII−II線に沿って見た断面図である。
【図３】本発明の実施形態によるトラップカバー取付構造に使用される固定具をトラップカバーに取り付けた状態を示す断面図である。
【図４】本発明の実施形態によるトラップカバー取付構造に使用される固定具の部品展開図である。
【図５】本発明の実施形態によるトラップカバー取付構造に使用される固定具をトラップカバーに取り付けた状態を示す斜視図である。
【図６】本発明の実施形態によるトラップカバー取付構造の取付作業（取付方法）を示す側面図である。
【図７】本発明の実施形態の変形例による固定具の係合アームを示す図である。
【符号の説明】
【００２７】
１  洗面器
２  洗面器固定用ボルト
６  壁面
８  トラップカバー
１０  トラップカバー支持部材
１２  固定具
１４  固定具取付孔
１６  軸受部材
１８  固定用ボルト
２８  ベースプレート
３０  ボルト
３６  係合アーム
３６ａ  鉤部
３６ｂ  凹部
３８  係合アーム
３９  第１アーム
４０  第２アーム
【図１】
2010084444.tif 000003
【図２】
2010084444.tif 000004
【図３】
2010084444.tif 000005
【図４】
2010084444.tif 000006
【図５】
2010084444.tif 000007
【図６】
2010084444.tif 000008
【図７】
2010084444.tif 000009